(57)【要約】【課題】意図せぬキャリブレーションモードへの変更を防ぎ、キャリブレーション時に押した位置とタッチ検出位置のずれが小さくなるように必ず先の細いタッチペンを使用させ、キャリブレーション後の精度を向上できる情報処理装置を提供すること。【解決手段】タッチパネルを備えた表示部と、タッチパネルに使用できるペンと、スイッチの状態に応じてタッチパネルのキャリブレーションモードに入るキャリブレーションスイッチと、前記キャリブレーションモードにおいて、所定の調整画面を表示するときの位置指定に基づいて、表示位置とタッチパネルの入力位置とを合わせるキャリブレーション機能を備える情報処理装置において、前記キャリブレーションスイッチは人の指で押下不可、且つ前記ペンにて押下可能となることを特徴とする。【選択図】図３
2016081094.tif 000002
【特許請求の範囲】
【請求項１】
タッチパネルを備えた表示部と、
タッチパネルに使用できるペンと、
スイッチの状態に応じてタッチパネルのキャリブレーションモードに入るキャリブレーションスイッチと、
前記キャリブレーションモードにおいて、所定の調整画面を表示するときの位置指定に基づいて、表示位置とタッチパネルの入力位置とを合わせるキャリブレーション機能を備える情報処理装置において、
前記キャリブレーションスイッチは人の指で押下不可、且つ前記ペンにて押下可能となることを特徴とする情報処理装置。
【請求項２】
前記キャリブレーションスイッチは、前記ペンの先端径をA、スイッチ押下げ部開口径をB,指先の径をCとすると、大きさがA<B<<Cとなっていることを特徴とする請求項１に記載の情報処理装置。
【発明の詳細な説明】
【技術分野】
【０００１】
本発明は、タッチパネルを備える情報処理装置に関する。
【背景技術】
【０００２】
従来、情報処理装置で表示部をもつ製品において、感覚的に装置を扱う手段としてタッチパネルが広く採用されている。その中でも近年の小型化、高情報化に伴い、画面上への表示が増え、手でのタッチだけで対応しにくい為、スタイラスと呼ばれるタッチペンを用いてタッチパネルの操作を行う機器が増えてきている。
【０００３】
情報処理装置を製造する際にタッチパネルはキャリブレーションをしているが、タッチパネルは温度変化や、経年変化の影響を受けて、タッチ検出位置がずれる恐れがある。そこでタッチパネルを備える情報処理装置においては、ユーザーにタッチ検出位置のずれを修正させるキャリブレーションモードが備えられていることが多い（特許文献１参照）。
【先行技術文献】
【特許文献】
【０００４】
【特許文献１】特開平７-１８２０９３号公報
【発明の概要】
【発明が解決しようとする課題】
【０００５】
しかしながら、上述の特許文献に開示された従来技術では、ユーザーにキャリブレーションを行わせるが、キャリブレーションの方法自体の記述がない。従来の多くの場合は指で行うが、その場合にはキャリブレーション用の調整マークを指で隠しながら押すことになる。それによりユーザーが押したと思った位置とタッチ検出位置ずれの誤差が大きくタッチ検出位置が正確に分からないため、キャリブレーション後の精度が低くなってしまう場合があった。またユーザーが意図しなくキャリブレーションモードに入ってしまい、キャリブレーションに戸惑ってしまうという問題があった。
【０００６】
そこで、本発明の目的は、意図せぬキャリブレーションモードへの変更を防ぎ、キャリブレーション時に、押した位置とタッチ検出位置のずれが小さくなるように必ず先の細いタッチペンを使用させ、キャリブレーション後の精度を向上できる情報処理装置を提供することにある。
【課題を解決するための手段】
【０００７】
上記目的を達成するため、請求項１の情報処理装置は、
タッチパネルを備えた表示部と、タッチパネルに使用できるペンと、スイッチの状態に応じてタッチパネルのキャリブレーションモードに入るキャリブレーションスイッチと、前記キャリブレーションモードにおいて、所定の調整画面を表示するときの位置指定に基づいて、表示位置とタッチパネルの入力位置とを合わせるキャリブレーション機能を備える情報処理装置において、前記キャリブレーションスイッチは人の指で押下不可、且つ前記ペンにて押下可能となることを特徴とする。
【０００８】
請求項２の情報処理装置は、請求項１に記載の情報処理装置において、
前記キャリブレーションスイッチは、前記ペンの先端径をA、スイッチ押下げ部開口径をB,指先の径をCとすると、大きさがA<B<<Cとなっていることを特徴とする。
【発明の効果】
【０００９】
本発明によれば、意図せぬキャリブレーションモードへの変更を防ぎ、キャリブレーション時に、押した位置とタッチ検出位置のずれが小さくなるように必ず先の細いタッチペンを使用させ、キャリブレーション後の精度を向上できる情報処理装置の提供を実現できる。
【図面の簡単な説明】
【００１０】
【図１】本発明の実施形態にかかわるブロック図
【図２】本発明の実施形態にかかわる情報処理装置の表示部
【図３】本発明の実施形態にかかわるキャリブレーションモードスイッチをタッチペンで押している場合の断面図
【図４】本発明の実施形態にかかわるキャリブレーションモードスイッチを指で押している場合の断面図
【図５】本発明の実施形態にかかわるフローチャート
【図６】本発明の実施形態にかかわるキャリブレーション中の表示部
【発明を実施するための形態】
【００１１】
以下に、本発明の好ましい実施の形態を、添付の図面に基づいて詳細に説明する。画像表示装置100は、図１に示すように、画像撮像部2、画像処理部3、圧縮伸張処理部4、表示部102、記録再生処理部6、カード制御部7、メモリ11、メモリ制御部12、CPU13、操作部14、タッチパネル部15、タッチモード切替部104、入出力部16、電源制御部17を備えている。また、各機能ブロックはそれぞれデータバス18を介して互いにデータ通信可能に接続されている。
【００１２】
このような画像表示装置100において、メモリ11は、プログラム記憶領域とデータ作業領域を有し、データバス18を介して各機能ブロックでタイム・シェアリングして使用され、メモリ制御部12により制御及び管理されている。CPU13は所定のプログラムを実行すること等により、画像表示装置100全体を統括制御する中央演算処理回路である。操作部14はユーザーからのキー操作などに基づいて、CPU13に対して動作指示する機能を有する。メモリーカード19は、SDカードやコンパクトフラッシュ（登録商標）等の脱着式のフラッシュメモリーであり、撮影データ及等が記録される。
【００１３】
電源制御部17は、バッテリ検出回路、DC-DCコンバータ、通電するブロックを切り替えるスイッチ回路等により構成されており、電池の装着の有無、電池の種類、電池残量の検出を行う。バッテリ23は、リチウムイオン電池等であり、画像表示装置100に電源を供給する。タッチパネル部15は、指やペン等からのタッチを検知して信号をデータバス18を介してCPU13等に伝える。
【００１４】
次に、本発明の第１の実施形態における画像表示装置100の撮影動作及び記録動作、再生動作について説明する。例えば、操作部14により撮影動作及び記録動作が指示された場合、画像撮像部2は入力光学信号を電気信号に変換し、画像処理部3に出力する。画像処理部3はこの電気信号をデジタル画像信号に変換する。そして、この画像信号に対して、色分離、階調補正、及びホワイトバランス調整などの信号処理を施した後出力する。
【００１５】
圧縮伸張処理部4は、画像処理部3から出力された画像データを所定の圧縮符号化方式により圧縮符号化する。表示部102は、圧縮伸張処理部4で圧縮符号化対象の撮影データを表示する。また、表示部102は、必要に応じて画像表示装置100の動作状況をオンスクリーン・ディスプレイ情報として表示する。
【００１６】
記録再生処理部6は、圧縮伸張処理部4で得られた圧縮符号化後のデータに対して、エラー訂正符号化処理や変調処理等を施し、更に同期、ID，などのデータを付加して記録に適した形態に変換した後、メモリーカード19等の記録媒体に記録する。カード制御部7はメモリーカード19の記録制御をおこなう。
【００１７】
一方、操作部14により再生動作が指示された場合、記録再生処理部6は、メモリーカード19等から読み出したデータから元のデジタルデータを検出し、エラー訂正及び復調等の処理を施す。また、PLL回路によりこの再生データに同期したクロックを生成する。圧縮伸張処理部4は、記録再生処理部6より出力されたデータに対して、所定の圧縮符号化方式に対応した伸張処理を施し、圧縮符号化前の撮影データ及び音声データを取得する。表示部102は、圧縮伸張処理部4で得られた再生データを表示する。
【００１８】
また操作部14により、入出力部16からの入力信号を記録する指示があった場合、CPU13は入出力部16を制御し、外部装置22から出力された画像、音声信号を入力する。入出力部16は外部装置22から出力された画像、音声信号をデジタルデータに変換してメモリ11に出力する。CPU13はこのメモリ11に記憶された画像、音声データを圧縮伸張処理部4に出力して圧縮符号化し、記録再生処理部6に送る。記録再生処理部6は前述の様にこの符号化されたデータに対して記録に必要な処理を施してメモリーカード19等の記録媒体に記録する。
【００１９】
またタッチモード切替部104に操作者によって切り替えが指示された場合、CPU13は表示部102及びタッチパネル部15を制御し、その表示及び検知範囲を切り替える。
【００２０】
図２は、本発明の実施形態にかかわる情報処理装置における表示装置部を示した図である。情報処理装置における画像表示装置100には、本体外周部101、画像等を表示する表示部102を備える。表示部102にはタッチキー103が表示画像に重なって表示されており、各々のタッチキーをタッチすることによりそれぞれのキーに割り当てられた機能及び動作が実行される。
【００２１】
表示部102近傍にはキャリブレーションモードスイッチ104が配置される。キャリブレーションモードスイッチ104の詳細断面図を図３、４に示す。本体外周部101には、キャリブレーションモードスイッチ104上方に開けられた本体外周穴部101a、及びスイッチ周辺押下時の静圧受けリブ101bが設けられている。スイッチ104はステム部104a及びスイッチ本体部104bからなり、基板122に実装されている。ステム部104aが押下げられることにより、キャリブレーションモードスイッチ104がONする構造となっている。
【００２２】
図３のように、タッチペン111にてキャリブレーションモードスイッチ104を押す場合、タッチペン111のペン先部112が穴部101aを抜けてステム部104aを押下することにより、タッチパネルのキャリブレーションモードに入ることができる。この際、本体外周部101の穴部101aの穴径Bは、タッチペン111のペン先部112のペン先径Aよりも大きい。
【００２３】
また、図４のように指部105にてキャリブレーションモードスイッチ104を押そうとすると、指部105の先端サイズCよりも本体外周部101の穴部101aの穴径Bが十分小さいことにより、指先105にて不用意にキャリブレーションモードスイッチ104を押すことがなく、タッチパネルのキャリブレーションモードに移行することはない。
【００２４】
すなわち、ペン先部112のペン先径A、穴部101aの穴径B、指部105の先端サイズCとの関係はA<B<<Cとなることによりキャリブレーションモードに移行するためにはタッチペン111を持っている時にのみ可能である。またペン先部112は小さくキャリブレーションモードにおいて、ユーザーは調整用マークの中心に対して小さな誤差で点を押すことができる。
【００２５】
図５は、本発明の実施形態のフローチャートである。スタート後にステップＳ１０１にてキャリブレーションモードスイッチ104が押されたかどうかを検知したかどうかを判断して、検知していない場合には終了となる。検知した場合、ステップＳ１０２に進みキャリブレーションモードを開始する。ステップＳ１０３からステップＳ１０６までのタッチパネルのキャリブレーション方法については広く一般的に使用されるものであるあり、ここでは簡単なステップの紹介程度にしておく。ステップＳ１０３では図６に示すような調整用画像を表示部１０２に表示する。
【００２６】
ステップＳ１０４ではユーザーが調整用マーク『×』印の中心をタッチペン111によって押すことによる入力を待つ。ステップＳ１０５でもステップＳ１０３のような調整用画像を表示部１０２に表示して、ステップＳ１０６ではその調整用画像２中の調整用マークの中心のタッチ入力を待つ。次にステップＳ１０７でキャリブレーションモードが完了したかどうかの判断を行い、完了としていないと判断した場合は再度ステップＳ１０３に戻る。完了と判断した場合はステップＳ１０８にて調整完了となり、一連のフローが終了する。
【００２７】
以上、本発明の好ましい実施形態について説明したが、本発明はこれらの実施形態に限定されず、その要旨の範囲内で種々の変形及び変更が可能である。
【符号の説明】
【００２８】
１００  画像表示装置、１０１  本体外周部、１０１a  本体外周穴部、
１０１b  静圧受けリブ、１０２  表示部、１０３  タッチキー、
１０４  キャリブレーションモードスイッチ、１０４a  ステム部、
１０４b  スイッチ本体部、１０５  指、１１１  タッチペン、１１２  ペン先部
【図１】
2016081094.tif 000003
【図２】
2016081094.tif 000004
【図３】
2016081094.tif 000005
【図４】
2016081094.tif 000006
【図５】
2016081094.tif 000007
【図６】
2016081094.tif 000008